(57)【要約】【課題】保管や運搬を便利にし、標識板の作業時の曲りを防ぎ、補修作業を容易にする標識板補修機を提供する。【解決手段】標識板挟み具に取付けた柄と平行となる穴を標識板挟み具の閉端部に設け、標識板挟み具に取付けた柄と連結する柄を平行に収納して保管や運搬を便利にし、且つ、標識板挟み具の開端部に４５度に切り欠いた形状を設け、高所作業時の標識板の曲りを防ぎ、且つ、標識板挟み具の標識板に厚みに合わせた隙間の開端部に開いた形状を設けることにより、補修作業を容易にする。【選択図】図１
0003145774.tif 000002
【実用新案登録請求の範囲】
【請求項１】
連結する柄の片側端部の外部にねじを設け、標識板挟み具の閉端部には、標識板挟み具に取付けた柄と平行となる穴を設け、内部にねじを設け、連結する柄をねじ込み結合して収納することを特徴とする標識板補修機。
【請求項２】
連結する柄の片側端部の外部にねじを設け、標識板挟み具の閉端部には、標識板挟み具に取付けた柄と平行となる穴を設け、内部にねじを設け、連結する柄をねじ込み結合して収納し、標識板挟み具の開端部に４５度に切り欠いた形状を設けたことを特徴とする標識板補修機。
【請求項３】
連結する柄の片側端部の外部にねじを設け、標識板挟み具の閉端部には、標識板挟み具に取付けた柄と平行となる穴を設け、内部にねじを設け、連結する柄をねじ込み結合して収納し、標識板挟み具の開端部に４５度に切り欠いた形状を設け、標識板挟み具の標識板の厚みに合わせた隙間の開端部に開いた形状を設けたことを特徴とする標識板補修機。
【考案の詳細な説明】
【考案の詳細な説明】
【技術分野】
【０００１】  本考案は、自動車などの接触により曲がってしまった標識板を補修するための標識板補修機に関するものである。
【背景技術】
【０００２】  道路上には道路標識が設置され、交通の規制や警戒や指示などの表示がされた標識板が、柱に取り付けられているが、自動車などが接触し、曲がってしまった標識板がしばしば見受けられる。曲がって見えにくくなった標識板は、平板状に修正すれば、ほぼ元通りに修復出来る場合が多く、標識板補修機などによる修復作業が行われている。標識板補修機としては、従来の技術として、本出願人による標識板補修機が考案、開示されている。（例えば、特許文献１参照）【０００３】
【特許文献１】実開平５−８７０１２
【考案の開示】
【考案が解決しようとする課題】
【０００４】  従来の標識板補修機は、高い位置の標識板を補修する為に、標識板挟み具に取付けた柄に連結する柄が用意されているが、分離しているので、紛失を起こすなど保管しづらく、運搬に不便であった。【０００５】  従来の標識板補修機は、高い位置にある標識板の補修は、標識板挟み具を斜め下方から差し込むため、標識板の曲がり部が地面と垂直に近い場合の補修において、標識板挟み具の開端部を標識板の曲がり部に合わせることができず、作業による標識板の曲がりがしばしば起きていた。【０００６】  従来の標識板補修機は、標識板の厚みに合わせた隙間が標識板挟み具の内側全面で平行であったため、標識板に差し込みにくく、作業に不便であった。【０００７】  本考案は、上述の事情に鑑みてなされたもので、保管、運搬に便利で、作業による標識板の曲りを防ぎ、作業を容易にする標識板補修機を提供することを目的とする。
【課題を解決する手段】
【０００８】  標識板補修機において、連結する柄の片側端部の外部にねじを設け、標識板挟み具の閉端部には、標識板挟み具に取付けた柄と平行となる穴を設け、内部にねじを設け、連結する柄をねじ込み結合して収納する。
【０００９】  標識板補修機において、連結する柄の片側端部の外部にねじを設け、標識板挟み具の閉端部には、標識板挟み具に取付けた柄と平行となる穴を設け、内部にねじを設け、連結する柄をねじ込み結合して収納し、標識板挟み具の開端部に４５度に切り欠いた形状を設ける。
【００１０】  標識板補修機において、連結する柄の片側端部の外部にねじを設け、標識板挟み具の閉端部には、標識板挟み具に取付けた柄と平行となる穴を設け、内部にねじを設け、連結する柄をねじ込み結合して収納し、標識板挟み具の開端部に４５度に切り欠いた形状を設け、標識板挟み具の標識板の厚みに合わせた隙間の開端部に開いた形状を設ける。
【考案の効果】
【００１１】  標識板補修機において、連結する柄は、標識板挟み具に取付けた柄と平行に収納されるので、保管や運搬に便利となる。
【００１２】  標識板挟み具の開端部に４５度に切り欠いた形状を設けているので、高い位置にある標識板の曲がり部が地面と垂直に近い場合の補修において、斜め下方から差し込んだ標識板挟み具の開端部を標識板の曲がり部に合わせることが出来、作業による標識板の曲がりを防げる。
【００１３】  標識板挟み具の標識板の厚みに合わせた隙間の開端部に開いた形状を設けているので、標識板に差し込みやすくなり、作業が容易になる。
【考案を実施するための最良の形態】
【００１４】連結する柄の片側端部の外部にねじを設け、標識板挟み具の閉端部には、標識板挟み具に取付けた柄に平行となる穴を設け、内部にねじを設け、連結する柄をねじ込み結合して収納し、保管や運搬を行う。【００１５】  標識板挟み具の開端部に４５度に切り欠いた形状を設け、高い位置にある標識板の曲がり部が地面と垂直に近い場合の補修において、斜め下方から差し込んだ標識板挟み具の開端部を標識板の曲がり部に合わせて、作業を行う。【００１６】  標識板挟み具の標識板の厚みに合わせた隙間の開端部に開いた形状を設け、標識板に差し込み、作業を行う。
【実施例】
【００１７】  以下、添付図面に従って、一実施例を説明する。１は曲がった標識板８を挟んで保持する標識板挟み具、２は標識板挟み具１を押したり引いたりするなどの操作をするための柄、３は高い位置にある標識板８の補修時に、操作するための柄２に連結するための柄、３ａは連結するための柄の端部外側に設けたねじ部、４は操作するための柄２と連結するための柄３を連結する連結部、４ａは連結部内部に設けたねじ、７は標識板挟み具１に、操作するための柄２と平行に設けたねじ穴である。連結するための柄３は、ねじ部３ａをねじ穴７にねじ込み結合することにより、操作するための柄２と平行に収納可能となる。【００１８】  高い位置にある標識板の曲がり部が地面と垂直に近い場合の補修において、連結する柄３のねじ３ａを連結部４のねじ４ａにねじ込み連結し、標識板挟み具１を斜め下方から差し込み、開端部に設けた４５度に切り欠いた形状５を標識板の曲がり部８ａに合わせることにより、作業による曲りを防げる。【００１９】  ６は標識板挟み具１の標識板の厚みに合わせた隙間に開端部に設けた開いた形状により標識板８に差し込みやすくなり、作業が容易になる。
【図面の簡単な説明】
【００２０】
【図１】連結する柄を収納した標識板補修機の斜視図
【図２】標識板挟み具の開端側の斜視図
【図３】連結する柄と標識板挟み具の断面図
【図４】連結する柄を収納した標識板挟み具の一部切欠断面図
【図５】連結する柄を接続し、高所を作業する状態を示す図
【符号の説明】
【００２１】１    標識板挟み具
２    操作する柄
３    連結する柄
３ａ  連結する柄のねじ
４    連結部
４ａ  連結部のねじ
５    ４５度に切り欠いた形状
６    開いた形状
７    ねじ穴
８    標識板
８ａ  標識板曲り部
【図１】
0003145774.tif 000003
【図２】
0003145774.tif 000004
【図３】
0003145774.tif 000005
【図４】
0003145774.tif 000006
【図５】
0003145774.tif 000007